(57)【特許請求の範囲】
【請求項１】
撮像システムであって、
電場を生成する磁気共鳴部分と、
第二の撮像部分とを有しており、前記第二の撮像部分は：
検出器タイルの二次元アレイをもつ検出器であって、各タイルはシンチレーション結晶の二次元アレイを含み、軸方向に沿った隣接するタイルは電気伝導性材料によって離間されており、軸横断方向に沿った一連のタイルは互いに接しており、タイル一つぶんより短い0でない距離だけ隣接するタイルから順次オフセットされており、タイルの間の前記電気伝導性材料が、軸横断方向において前記検出器を斜めに横切る連続的な電気伝導性領域をなし、該電気伝導性材料が前記電場から前記タイルを遮蔽する、検出器を含む、
撮像システム。
【請求項２】
前記距離がほぼタイルの半分である、請求項１記載の撮像システム。
【請求項３】
前記軸方向に沿った前記電気伝導性領域どうしを電気的に相互接続する電気伝導性コンタクトをさらに有する、請求項１記載の撮像システム。
【請求項４】
前記電気伝導性材料がスズ銅合金を含む、請求項１ないし３のうちいずれか一項記載の撮像システム。
【請求項５】
撮像システムの検出器で放射を受領する段階を含む方法であって、前記撮像システムは、電場を生成する磁気共鳴部分と、第二の撮像部分とを有しており、前記検出器は、検出器タイルの二次元アレイを含み、各タイルはシンチレーション結晶の二次元アレイを含み、軸方向に沿った隣接するタイルは電気伝導性材料によって離間されており、軸横断方向に沿った一連のタイルは互いに接しており、タイル一つぶんより短い0でない距離だけ隣接するタイルから順次オフセットされており、タイルの間の前記電気伝導性材料が、軸横断方向において前記検出器を斜めに横切る連続的な電気伝導性領域をなし、該電気伝導性材料が前記電場から前記タイルを遮蔽する、
方法。
【請求項６】
前記距離がほぼタイルの半分である、請求項５記載の方法。
【請求項７】
電気伝導性コンタクトが前記軸方向に沿った前記電気伝導性領域どうしを電気的に相互接続する、請求項６記載の方法。
【請求項８】
前記電気伝導性材料がスズ銅合金を含む、請求項６または７記載の方法。
【発明の詳細な説明】
【技術分野】
【０００１】
下記は概括的には撮像に関し、より詳細には陽電子放出断層撮影（PET）および／または単一光子放出断層撮影（SPECT）撮像に関し、PET/MR（磁気共鳴）への個別的な応用とともに本稿で記述されるが、下記はPETスキャナ、SPECTスキャナ、PET/CT（計算機断層撮影）スキャナ、SPECT/MRスキャナ、SPECT/CT、SPECT/PETおよび／または他のPETおよび／またはSPECTベースのスキャナにも好適である。
【背景技術】
【０００２】
陽電子放出断層撮影（PET）と磁気共鳴（MR）の撮像を統合することは、PETの高感度の機能診断とMRの高い解像度および組織コントラストとを組み合わせる。しかしながら、そのような技術を単一の統合されたスキャナ中に組み合わせるために、PET部分は、MR部分でのスキャン中にMR部分の磁石および高場コイルによって生成される磁気および高い場に中立である必要がある。光電子増倍管（PMT）は一般に、磁場によって大きく影響され、アバランシェ・フォトダイオード（APD）やシリコン光増倍器（SiPM）によって置き換えられている。HF信号に対するPET検出器モジュールの遮蔽は、銅筐体によって達成されてきた。残念ながら、これまで使われてきた銅筐体は511keV光子の追加的な吸収および散乱を引き起こし、それにより感度および解像度を低減することがある。
【０００３】
臨床前PETまたはPET/MRにおける高解像度を達成するためには、ピクセル化された結晶アレイがSiPMアレイへの光ガイド読み出しと組み合わされて、非常に強力なPET検出器ブロックを形成してきた。この概念では、光ガイドの本質的な機能は、結晶によって放出された光をSiPMアレイの規則的なグリッド上に分配することである。これは、SiPMピクセルよりずっと小さな結晶を識別することを許容する。残念ながら、特にそのような検出器ブロックのエッジでは、均質な光ガイドはこれらの結晶の不十分な識別につながり、結局は全体的なPET画像解像度が劣化してしまう。他方、結晶とSiPMアレイ・ピクセルとの間の一対一（1:1）結合は多数のチャネルおよび高密度の読み出し電子回路を必要とする。
【０００４】
少なくとも上記に鑑み、PET、PET/MRおよび／または他のPETベースのスキャナのPET検出器との関連で、遮蔽および／または高解像度の達成のための他のアプローチに対する、未解決の必要性がある。
【発明の概要】
【発明が解決しようとする課題】
【０００５】
本願の諸側面は、上記で言及した事項その他に対処するものである。
【課題を解決するための手段】
【０００６】
ある側面では、撮像システムは、電場を生成する磁気共鳴部分と、検出器タイルの二次元アレイをもつ検出器を含む第二の撮像部分とを含む。軸方向に沿った隣接するタイルは電気伝導性材料によって離間されており、該電気伝導性材料が前記電場から前記タイルを遮蔽する。
【０００７】
もう一つの側面では、撮像システムは、シンチレーション結晶のアレイを含む検出器をもつ第一の撮像部分と、シンチレーション結晶の前記アレイに結合された光センサーとを含み、前記光センサーの出力は、各結晶を同定する情報の一意的な比を含む。
【０００８】
もう一つの側面では、検出器タイルの二次元アレイであって、軸方向に沿った隣接するタイルは電気伝導性材料によって離間されており、該電気伝導性材料が電場から前記タイルを遮蔽する、アレイか、または、シンチレーション結晶のアレイおよび複数のセンサー・チャネルを有する光センサーかのうちの少なくとも一方を含む検出器をもってスキャナを構成することを含む。前記結晶は前記光センサーに直接結合されており、トリガーされるチャネルの一意的な比が各結晶を同定する。
【０００９】
本発明のさらなる側面は、以下の詳細な説明を読み、理解すれば当業者には認識されるであろう。
【００１０】
本発明は、さまざまな構成要素および構成要素の配列ならびにさまざまな段階および段階の配列の形を取りうる。図面は単に好ましい実施形態を例解するためのものであり、本発明を限定するものと解釈されるべきではない。
【図面の簡単な説明】
【００１１】
【図１】PET検出器を含む例示的な撮像システムを概略的に示す図である。
【図２】図１のPET検出器の例を概略的に示す、放射感応性の面を見る図である。
【図３】図２の例示的な検出器の側面図を概略的に示す図である。
【図４】図１のPET検出器のセンサー・チャネルのための1D感度パターンの例を概略的に示す図である。
【図５】図１のPET検出器のセンサー・チャネルのための1D感度パターンの例を概略的に示す図である。
【図６】図１のPET検出器のセンサー・チャネルのための1D感度パターンの例を概略的に示す図である。
【図７】図１のPET検出器のセンサー・チャネルのための1D感度パターンの例を概略的に示す図である。
【図８】図１のPET検出器のセンサー・チャネルのための2D感度パターンの例を概略的に示す図である。
【図９】図１のPET検出器のセンサー・チャネルのための2D感度パターンの例を概略的に示す図である。
【図１０】図１のPET検出器のセンサー・チャネルのための2D感度パターンの例を概略的に示す図である。
【図１１】図１のPET検出器のセンサー・チャネルのための2D感度パターンの例を概略的に示す図である。
【図１２】図１のPET検出器のセンサー・チャネルのための例示的な3D感度パターンを概略的に示す図である。
【図１３】外部電場からの遮蔽をもつPET検出器を使う例示的な撮像方法を示す図である。
【図１４】センサー・チャネルの構造化された感度パターンをもつPET検出器を使う例示的な撮像方法を示す図である。
【発明を実施するための形態】
【００１２】
下記はPETおよび／またはSPECTスキャナに関する。該スキャナは、個々のスキャナおよびSPECT/MR、PET/CT、PET/MRおよび／またはSPECT/CT、SPECT/PETおよび／または他のPETおよび／またはSPECTベースのスキャナなどだがそれに限られない組み合わせスキャナを含む。
【００１３】
図１は、単一の検査領域１０８を共有するMR（磁気共鳴）ガントリー部分１０４および陽電子放出断層撮影（PET）ガントリー部分１０６の両方をもつガントリー１０２を含む単一撮像システム１００を概略的に示している。もう一つの実施形態では、PETおよびMRガントリー部分１０４および１０６はそれぞれ同じ検査室または異なる検査室にある別個のPETおよびMR撮像スキャナの一部である。
【００１４】
MRガントリー部分１０４は主磁石１１０、勾配（x,y,z）コイル１１２およびRFコイル１１４を含む。主磁石１１０（これは超伝導性、抵抗性、永久磁石または他の型の磁石であることができる）は実質的に均質な、時間的に一定の主磁場B0を検査領域１０８において生成する。勾配コイル１１２は、検査領域１０８のx,y,z軸に沿って時間変化する勾配磁場を生成する。RFコイル１１４は、検査領域１０８内の関心対象の核を励起する（関心対象の核（たとえば水素など）のラーモア周波数の）高周波信号を生成する送信部分と、励起された核によって放出されるMR信号を検出する受信部分とを含む。他の実施形態では、RFコイル１１４の送信部分および受信部分は別個のRFコイルに位置される。MRデータ収集システム１１６がMR信号を処理し、MR再構成器１１８が該データを再構成し、MR画像を生成する。
【００１５】
PETガントリー部分１０６は、検査領域１０８のあたりに配置されたガンマ線放射感応性検出器アレイ１２０を含む。検出器アレイ１２０は、一つまたは複数のシンチレーション結晶と、（アナログまたはデジタル）シリコン光増倍器（SiPM）、アバランシェ・フォトダイオード（APD）などといった対応する光センサーとを含む。結晶は、ガンマ線が入射すると光を生成し、光センサーがその光を受領し、それを示す電気信号を生成する。PETデータ収集システム１２２がその信号を処理し、PETデータを生成する。一例では、PETデータは、データ収集の間に検出された対消滅イベントのリストを含む。リストは一般に、各エントリーについて、イベントが検出された時刻、対応する応答線（LOR:  line-of-response）の位置および配向などといった情報を含む。PET部分１０２は、相互作用深さ（DoI:  depth  of  interaction）または飛行時間（TOF:  time-of-flight）機能の少なくとも一方をもって構成される。PET再構成器１２４がPETデータを再構成して、PET画像を生成する。PET再構成器１２４は、ML-EM（maximum  likelihood-expectation  maximization［最大尤度‐期待値最大化］）、OS-EM（ordered  subset  expectation  maximization［順序付けられた部分集合期待値最大化］）および／または他のアルゴリズムといった好適な再構成アルゴリズムを含む再構成ソフトウェアを用いる。
【００１６】
MR再構成器１１８およびPET再構成器１２４は別個のコンポーネントとして示されているが、両者が同じ再構成器および／または他のコンポーネントの一部であることができることは理解される。
【００１７】
のちにより詳細に述べるように、一例では、検出器結晶はタイルにグループ化される。タイルは互いに対して疎な配置で物理的に構成され、検出器の長さに沿って結晶の間にギャップがあり、ギャップ内には電気伝導性材料がある。一例では、電気伝導性材料は結晶を、MR部分１０４によって生成される高い場（high  field）のような外部電場から遮蔽する。そのような遮蔽は、検出器の感度および空間分解能を減じることなく、PET検出器電子回路に対する高い場の影響を緩和することができる。さらに、上記の疎な配置は、光センサーと検出器電子回路との間のボンディングのための追加的なスペースを提供する。やはりのちにより詳細に述べるように、追加的または代替的に、結晶アレイは、光ガイドを使うことなく、光センサー・チャネルの感度パターンを介して光センサーに光学的に結合されることができる。該感度パターンは、各結晶の同定が、トリガーされるチャネルの一意的な比を通じてとなるように構成される。これは、たとえエッジであっても検出器ブロックを通じた、PETのための均一な結晶識別およびkチャネル（k＜n）を使ってn個の結晶を識別することを許容し、よってより少数の（k個の）読み出しチャネルが、読み出し電子回路で使用されることができる。
【００１８】
被験体支持部１２６が人間または動物の被験体のような被験体を検査領域１０６内において支持する。支持部１２６はPET/MRシステム１００の動作と協調して長手方向に移動可能であり、それによりPETおよびMRガントリー部分１０６および１０４の一方または両方によって複数の長手方向位置において被験体がスキャンされることができる。コンピュータのようなオペレーター・コンソール１２８により、ユーザーは撮像システム１００を走査できる。オペレーター・コンソール１２８は、物理的なメモリのようなコンピュータ可読記憶媒体および／または信号媒体のような他の媒体上にエンコードされたコンピュータ可読命令を実行するための一つまたは複数のプロセッサを含む。コンソール１２８は、モニタまたはディスプレイのような出力装置ならびにキーボードおよび／またはマウスのような入力装置をも含む。
【００１９】
図２および図３は、検出器１２０の例示的な検出器モジュール２００を示している。図２は、検出器モジュール２００の放射受領面を見る図を示しており、図３は検出器モジュール２００の奥行きに沿った側面図を示している。図示した検出器１２０は検出器モジュール２００の複数を含んでいる。各モジュール２００は、軸横断方向２０４および軸方向２０６に沿って延在するタイル２０２の2Dアレイを含んでいる。
【００２０】
図２に示されるように、隣り合う列２１８のタイル２０２は互いに軸方向２０６に沿ってシフトしている。この例では、タイルはタイルの半分またはフル結晶ぶんまたは約4ミリメートル（4mm）だけシフトしている。他の実施形態では、タイルはより大きくまたはより小さくシフトされることができる。ピッチ２１２（たとえば図示した実施形態では4ミリメートル（4mm））は、隣り合う列２１８における隣接するタイル２０２の間のタイル中心からタイル中心までの距離に対応する。同じ列２０６内の隣接するタイル２０２および２０２はギャップ２１４（たとえば図示した実施形態では8ミリメートル（8mm））だけシフトしており、隣り合う列２０６における隣り合うギャップ２１４は、タイル２０２の間で軸横断方向２０４において検出器モジュール２００を斜めに横切って延在する連続領域２１６をなす。そのような構成は、タイル２０２のスペアな配置をなす。
【００２１】
スズ銅合金、銅または他の電気伝導性物質のような電気伝導性材料２２６が検出器タイル２０２の間のギャップ領域２１６に位置される。ボンディング線（見えない）は、相続くギャップ領域２１６の電気伝導性材料２２６を相互接続する。相互接続された伝導性材料２２６は、MR部分１０２によるスキャンの間にMR部分１０２によって生成される高い場のような外部電場から、よってそのような高い場がタイル２０２に対してもつ影響から、タイル２０２を遮蔽する電場シールド（たとえばファラデー・ケージ）をなす。よって、PET部分１０４は、PETデータ検出器１２の感度および空間解像度を減じることなく、MR部分１０２との関連で（たとえば全身または他のPETスキャンのために）使用できる。さらに、タイル２０２の疎な配置は、光センサーと検出器電子回路との間のボンディングのための追加的なスペースを提供する。
【００２２】
上記で手短かに述べたように、結晶アレイは、光ガイドを通じて、直接（たとえば光ガイドを使わずに）または他の仕方で光センサーに接続されることができる。これは、トリガーされるチャネルの一意的な比率によって結晶の識別が与えられるよう構成された光センサーの感度パターンに基づく。このことは、k個のチャネルを使ってn個の結晶を同定することを許容する（n-kエンコード）。ここで、k＜nである。よって、読み出し電子回路上ではk個の読み出しチャネルしか必要とされない。図４、図５、図６、図７、図８、図９、図１０、図１１および図１２は、限定しない例示的な構造化された感度またはエンコード・パターンの見本を概略的に示す。他のパターンも本願で考慮されている。
【００２３】
図４〜図７は、四つの結晶１、２、３、４をエンコードするために二つのチャネル４０２および４０４を使う一次元（1D）パターンを示している。
【００２４】
チャネル４０２は、クロスハッチ・パターンによって示され、チャネル４０４はドット・パターンによって示される。各結晶が直接または密接にセンサー・アレイに結合されている場合には、ガンマ結晶相互作用により放出される光はセンサー結晶界面に高度に位置付けされる可能性が高い。よって、ガンマが結晶１と相互作用する場合には、チャネル４０２のみがそれを検出し、ガンマが結晶２または３と相互作用する場合には、チャネル４０２および４０４の両方がそれを検出するが、異なる割合をもってである。ガンマが結晶４と相互作用する場合には、チャネル４０４のみがそれを検出する。各チャネル４０２および４０４によって検出される信号の比が各結晶１〜４について異なるので、その比は結晶位置に特徴的である。一方、両方のチャネル４０２および４０４の検出される信号の和は各結晶１〜４について同じである。
【００２５】
図４では、結晶１〜４についてのパターンは、チャネルの比が結晶から結晶へと約1/3だけ変化するという点で線形である。よって、ガンマが結晶１と相互作用するときは、チャネル４０２のみがそれを検出し、ガンマが結晶２と相互作用する場合には、チャネル４０２および４０４の両方が、チャネル４０２へは2/3、チャネル４０４へは1/3の比でそれを検出し、ガンマが結晶３と相互作用する場合には、チャネル４０２および４０４の両方が、チャネル４０２へは1/3、チャネル４０４へは2/3の比でそれを検出し、ガンマが結晶４と相互作用する場合には、チャネル４０４のみがそれを検出する。他の実施形態では、比は、図５に示される限定しない変形のように非線形であることができる。さらに、図６では、結晶１〜４についてのパターンは縦になっている。図７では、パターンのステップ・サイズは十分小さく、エンコード・パターンは準連続的である。
【００２６】
図８は、二次元（2D）の線形エンコード・パターンを示している。図８では、16個の結晶１〜１６をエンコードするために、四つのチャネル８０２（図中、クロスハッチで示される）、８０４（図中、スクエアで示される）、８０６（図中、水平線で示される）および８０８（図中、ドットで示される）が使われている。表１は、図８についてのエンコードをまとめている。他の実施形態では、より多数またはより少数の結晶をエンコードするために、より多数またはより少数のチャネルが使用されることができることは理解されるであろう。
【００２７】
【表１】
0006339596.tif 000002
図９は、四つのチャネル９０２、９０４、９０６および９０８を使って16個の結晶１〜１６をエンコードするために、水平方向および垂直方向の両方において線形基底関数（長方形の支持集合）を使う二次元（2D）エンコードを示している。図９では、チャネル９０２および９０４は垂直エンコードを提供し、チャネル９０６および９０８は並行した水平エンコードを提供する。同様に、他の実施形態では、より多数またはより少数の結晶をエンコードするために、より多数またはより少数のチャネルが使用されることができる。この実施形態では、チャネルのすべては同じ幾何学的面積をもつ。別の実施形態では、チャネルのうちの少なくとも一つは異なる面積をもつ。
【００２８】
図１０は、三角形の支持集合をもつ線形基底関数を使う、二次元（2D）の4チャネルから16結晶へのエンコードを示している。ここでは、チャネル１００２および１００４を用いたエンコードは、対角線１００６に関して垂直方向および水平方向の両方において対称的に減少する。対角線１００６は結晶の2Dアレイを二等分し、二つの三角形領域１００８および１０１０を形成する。この例では、チャネル１００２および１００４とチャネル１０１２および１０１４は同じ幾何学的面積をもたず、チャネル１０１２および１０１４はほぼ等しく、チャネル１００２および１００４の面積より大きい面積をもち、チャネル１００２および１００４の面積はやはりほぼ等しい。
【００２９】
図１１では、チャネル１００２、１００４、１０１２および１０１４は、対角線１００６に関して三角形の支持集合をもつ線形基底関数を使って64個の結晶をエンコードするためにチャネル１００２、１００４、１０１２および１０１４が用いられる。
【００３０】
図８〜図１０の2Dパターンのいずれか一方または両方の次元方向が代替的に、図４〜図７の1Dパターンおよび／または他のエンコード・パターンの一つまたは複数のパターンをもつことができることは理解される。
【００３１】
図１２は、三次元（3D）エンコードの例を示している。（NおよびMが整数であるとして）N×M結晶構成の深さ１２００に沿った側面図が示されている。この例において、結晶のアレイは、深さ１２００に沿って積層された複数の層１２０２、１２０４、１２０６、１２０８、……、１２１０を含む。複数の層１２０２〜１２１０のそれぞれは、図４〜図１１との関連で論じたパターンまたは他のエンコード・パターンの一つと同様のチャネル・エンコード・パターンを有していてもよい。複数の層１２０２〜１２１０は深さ１２００に沿ったエンコードをも含む。説明のため、例示的な深さエンコード・パターンが、異なる灰色階調を通じて図１２に示される。深さエンコードは、たとえば図４〜図１１のエンコード・パターンの一つまたは複数と並行して、複数の層１２０２〜１２１０のそれぞれを個々にかつ一意的に同定する。
【００３２】
図４〜図１２に示したエンコードは限定するものではなく、他のエンコードも本願で考えられていることは理解される。
【００３３】
図１３は方法を示している。
【００３４】
ここで記載される方法における工程の順序は限定するものではないことが理解される。よって、他の順序が本願で考えられる。さらに、一つまたは複数の工程が省略されてもよく、および／または一つまたは複数の追加的な工程が含められてもよい。
【００３５】
１３０２では、オブジェクトが統合されたPET/MRスキャナに位置される。
【００３６】
１３０４では、疎なタイル配置およびタイルの間の間隔内に位置され相互接続される電気伝導性材料を含む電場シールドをもつ検出器を使って、当該スキャナのMR部分によって生成される高い場の存在において、PETデータが取得される。本稿で述べるように、そのような遮蔽は、検出器の感度および空間解像度を減じることなく、該高い場のPET検出器電子系への影響を緩和する。さらに、前記疎な配置は、光センサーと検出器電子系との間のボンディングのための追加的なスペースを提供する。
【００３７】
１３０６では、取得されたPETデータが再構成される。
【００３８】
図１４は方法を示している。
【００３９】
ここで記載される方法における工程の順序は限定するものではないことが理解される。よって、他の順序が本願で考えられる。さらに、一つまたは複数の工程が省略されてもよく、および／または一つまたは複数の追加的な工程が含められてもよい。
【００４０】
１４０２では、オブジェクトがPETまたは統合されたPET/MRスキャナに位置される。
【００４１】
１４０４では、光センサー・チャネルの構造化された感度パターンをもつ検出器を用いてPETデータが取得される。本稿で述べるように、PET検出器は、光ガイドを使うことなく光センサーに直接結合される結晶アレイを含んでいてもよく、そのような実施形態では、光センサーの感度パターンは、トリガーされるチャネルの一意的な比によって結晶識別が与えられるよう構造化されることができる。これは、たとえエッジであっても検出器ブロックを通じた、PETのための均一な結晶識別およびkチャネル（k＜n）を使ってn個の結晶を識別することを許容し、よってより少数の（k個の）読み出しチャネルが、読み出し電子回路で使用されることができる。
【００４２】
１４０６では、取得されたPETデータが再構成される。
【００４３】
上記は、物理的なメモリのようなコンピュータ可読記憶媒体にエンコードされたまたは具現された一つまたは複数のコンピュータ可読命令を実行する一つまたは複数のプロセッサにより実装されてもよい。前記命令は、前記一つまたは複数のプロセッサに、さまざまな工程および／または他の機能および／または工程を実行させるものである。追加的または代替的に、前記一つまたは複数のプロセッサは、信号または搬送波のような一時的媒体によって担持される命令を実行することができる。
【００４４】
本発明は、好ましい実施形態を参照して記述されてきた。上記の詳細な説明を読み、理解すれば他の者にも修正および変更が思いつくであろう。本発明は、付属の請求項またはその等価物の範囲内にはいる限りそのようなすべての修正および変更を含むものとして解釈されることが意図されている。
いくつかの態様を記載しておく。
〔態様１〕
撮像システムであって、
電場を生成する磁気共鳴部分と、
第二の撮像部分とを有しており、前記第二の撮像部分は：
検出器タイルの二次元アレイをもつ検出器であって、軸方向に沿った隣接するタイルは電気伝導性材料によって離間されており、該電気伝導性材料が前記電場から前記タイルを遮蔽する、検出器を含む、
撮像システム。
〔態様２〕
軸横断方向に沿った隣り合うタイルはタイル一つぶんより短い距離だけ互いからオフセットされている、態様１記載の撮像システム。
〔態様３〕
前記距離がほぼタイルの半分である、態様２記載の撮像システム。
〔態様４〕
タイルの間の前記電気伝導性材料が、軸横断方向において前記検出器を横切る連続的な電気伝導性領域をなす、態様１記載の撮像システム。
〔態様５〕
前記軸方向に沿った前記電気伝導性領域どうしを電気的に相互接続する電気伝導性コンタクトをさらに有する、態様４記載の撮像システム。
〔態様６〕
前記電気伝導性材料がスズ銅合金を含む、態様１記載の撮像システム。
〔態様７〕
態様１記載の撮像システムであって、前記検出器が、
シンチレーション結晶のアレイと、
センサー・チャネルの構造化された感度パターンをもつ光センサーとを有しており、
前記結晶は前記光センサーに結合され、トリガーされるチャネルの一意的な比率が各結晶を同定する、
態様１記載の撮像システム。
〔態様８〕
前記構造化された感度パターンは、第一の数の結晶を第二の数のチャネルにマッピングし、前記第二の数は前記第一の数より少ない、態様７記載の撮像システム。
〔態様９〕
検出器を有する第一の撮像部分を有する撮像システムであって、前記検出器は：
シンチレーション結晶のアレイと、
シンチレーション結晶の前記アレイに結合された光センサーとを含み、前記光センサーの出力は、各結晶を同定する情報の一意的な比率を含む、
撮像システム。
〔態様１０〕
前記光センサーが構造化された感度パターンを含む、態様９記載の撮像システム。
〔態様１１〕
前記構造化された感度パターンが一次元パターンである、態様１０記載の撮像システム。
〔態様１２〕
前記構造化された感度パターンが二次元パターンである、態様１０記載の撮像システム。
〔態様１３〕
前記構造化された感度パターンが三次元パターンである、態様１０記載の撮像システム。
〔態様１４〕
前記構造化された感度パターンは、第一の数の結晶を第二の数にマッピングし、前記第二の数は前記第一の数より少ない、態様１０記載の撮像システム。
〔態様１５〕
電場を生成する磁気共鳴部分をさらに有する態様１０記載の撮像システムであって、
前記陽電子放出断層撮影部分および前記磁気共鳴部分が単一のスキャナに統合されている、
撮像システム。
〔態様１６〕
前記検出器が、検出器タイルの二次元アレイを有しており、軸方向に沿った隣接するタイルは電気伝導性材料によって離間されており、該電気伝導性材料が外部電場から前記タイルを遮蔽する、
態様１５記載の撮像システム。
〔態様１７〕
軸横断方向に沿った隣り合うタイルはタイル一つぶんより短い距離だけ互いからオフセットされている、態様１６記載の撮像システム。
〔態様１８〕
タイルの間の前記電気伝導性材料が、軸横断方向において前記検出器を横切る連続的な電気伝導性領域をなす、態様１４記載の撮像システム。
〔態様１９〕
前記軸方向に沿った前記電気伝導性領域どうしを電気的に相互接続する電気伝導性コンタクトをさらに有する、態様１８記載の撮像システム。
〔態様２０〕
前記電気伝導性材料がスズ銅合金を含む、態様１４記載の撮像システム。
〔態様２１〕
検出器タイルの二次元アレイであって、軸方向に沿った隣接するタイルは電気伝導性材料によって離間されており、該電気伝導性材料が外部電場から前記タイルを遮蔽する、アレイ、
または、
シンチレーション結晶のアレイおよび複数のセンサー・チャネルを有する光センサー
のうちの少なくとも一方を含む検出器をもってスキャナを構成することを含む方法であって、
前記結晶は前記光センサーに直接結合されており、トリガーされるチャネルの一意的な比率が各結晶を同定する、
方法。
【図１】
0006339596.tif 000003
【図２】
0006339596.tif 000004
【図３】
0006339596.tif 000005
【図４】
0006339596.tif 000006
【図５】
0006339596.tif 000007
【図６】
0006339596.tif 000008
【図７】
0006339596.tif 000009
【図８】
0006339596.tif 000010
【図９】
0006339596.tif 000011
【図１０】
0006339596.tif 000012
【図１１】
0006339596.tif 000013
【図１２】
0006339596.tif 000014
【図１３】
0006339596.tif 000015
【図１４】
0006339596.tif 000016